(57)【要約】  【課題】  映像モニターの実使用状態での軽量化と、映像モニター自体が発する熱量の良好な放熱性と，屋外使用時の利便性を実現することを目的とする。  【解決手段】  映像モニター本体１に左右一対の前方保護部材５と後方保護部材６を上下の固定部材２，４を介して固定することで、映像モニターに加わる落下時の衝撃や予期しない外力から保護するように構成されている。これにより、トランクケース等に収納することなく外力からの保護が可能になり、軽量化が図れると共に、映像モニターの外装部材の大部分の表面が露出するため良好な放熱効果を発揮することができる。更に、前後の保護部材を介して遮光用のフードや映像のマーキング用のフィルター部材を追加固定できるため屋外使用時の利便性を向上させている。【選択図】  図１
2005107151.tif 000002
【特許請求の範囲】
【請求項１】
前面に表示部を有する映像モニターの上面に固定可能な上部固定部材と、
前記映像モニターの底面に固定可能な下部固定部材と、
前記上部固定部材と前記下部固定部材との間を連結するように固定され、前記映像モニターの前面の両側稜線より外側に張り出した位置に配置された左右一対の前方保護部材と、
前記上部固定部材と前記下部固定部材との間を連結するように固定され、前記映像モニターの背面方向に突出するように配置された左右一対の後方保護部材とを有する映像モニターの保護装置。
【請求項２】
前記上部固定部材及び前記下部固定部材は、それぞれ前記保護装置に前記映像モニターを固定したときに前記映像モニターの前面と平行になるような第１の溝部を有しており、板状のフィルター部材を前記第１の溝部に沿ってスライド設置して前記映像モニターの前面と平行に配置可能にした請求項１記載の映像モニターの保護装置。
【請求項３】
左右に係合部を有する略矩形筒状のフード部材を、前記係合部を前記前方保護部材に係合させることで固定することのできる請求項１記載の映像モニターの保護装置。
【請求項４】
前記上部固定部材及び前記下部固定部材は、それぞれ前記保護装置に前記映像モニターを固定したときに前記映像モニターの前面と平行になるような第２の溝部を有しており、前後に収縮可能な機能を有する筒状のフード部材を前記第２の溝部に沿ってスライド設置して前記映像モニターの前面と平行に配置可能にした請求項１記載の映像モニターの保護装置。
【発明の詳細な説明】
【技術分野】
【０００１】
本発明は、前面に液晶パネル等の表示部を有する映像モニターを、使用時に加わる衝撃や外力から保護するための映像モニターの保護装置に関する。
【背景技術】
【０００２】
従来の映像モニターの保護装置としては、映像モニター本体とは構造を異にするトランクケースなどを保護手段としたものが使用されている（例えば、特許文献１参照。）。
【０００３】
図９に従来の映像モニターの保護装置の構造を示す。映像モニターはトランクケース内に収納されており、この状態で映像モニターを使用できるよう、表示部１１が外部から見えるようになっている。
【特許文献１】特開平７−２２２０８１号公報
【発明の開示】
【発明が解決しようとする課題】
【０００４】
この従来の映像モニターの保護装置においては、保護装置を装着したままで映像モニターを使用することが可能であるが、保護装置自体の重量のため、取り回しが不便であった。また、保護装置によって映像モニター本体を覆ってしまうため、放熱性にも問題があった。さらに、映像モニターを屋外で使用する際の利便性にも問題があった。
【０００５】
本発明は上記課題に鑑み、軽量化と放熱性と利便性とを実現する映像モニターの保護装置を提供することを目的とする。
【課題を解決するための手段】
【０００６】
この課題を解決するために本発明は、左右一対の前方保護部材と左右一対の後方保護部材を上下の固定部材を介して映像モニター本体に固定することで、映像モニターに加わる落下時の衝撃や予期しない外力から保護するように構成したものである。
【０００７】
これにより、トランクケース等に収納することなく映像モニター本体を保護することが可能になり実使用状態での軽量化が図れると共に、このトランクケース等に収納しなくてもよいという特徴により映像モニター本体の外装部材表面の大部分が露出することになり、映像モニターが発する熱量を容易に大気中へ放射することができ良好な放熱性を有している。また、前述の前方保護部材と後方保護部材を活用してフードを固定することで外乱光を遮断することや、表示面の直前にフィルター部材を追加固定できるため映像のモニター中に画面のマーキングが可能となり、特に屋外使用時の利便性が得られる。
【発明の効果】
【０００８】
本発明によれば、左右一対の前方保護部材と左右一対の後方保護部材を上下の固定部材を介して映像モニター本体に固定することで、映像モニターに加わる落下時の衝撃や予期しない外力から保護するように構成されているので，映像モニターをトランクケース等に収納することなく保護することが可能になり、実使用状態での軽量化が図れる。また、映像モニター本体の外装部材の大部分が露出することになり、映像モニターが発する熱量を容易に大気中へ放射することができ良好な放熱性を発揮することができる。また、前述の前方保護部材と後方保護部材を活用してフードを固定することで外乱光を遮断することや、表示面の直前にフィルター部材を追加固定できるため映像のモニター中に画面のマーキングが可能となり、特に屋外使用時の利便性が得られるという有利な効果が得られる。
【発明を実施するための最良の形態】
【０００９】
本発明の請求項１に記載の発明は、前面に表示部を有する映像モニターにおいて、前記映像モニターの上面にビス固定された上部固定部材と、前記映像モニターの底面にビス固定された下部固定部材と、前記上部固定部材と下部固定部材の間を連結するように固定され前記映像モニターの前面の両側稜線より外側に張り出した位置に配置された左右一対の前方保護部材と、前記上部固定部材と下部固定部材の間を連結するように固定され前記映像モニターの背面方向に突出するように配置された左右一対の後方保護部材とによって構成された映像モニターの保護装置であり、トランクケース等に映像モニター本体を収納することなく落下時の衝撃や予期しない外力から保護するという作用を有する。
【００１０】
請求項２に記載の発明は、前記上部固定部材及び前記下部固定部材は、それぞれ前記保護装置に前記映像モニターを固定したときに前記映像モニターの前面と平行になるような第１の溝部を有しており、板状のフィルター部材を前記第１の溝部に沿ってスライド設置して前記映像モニターの前面と平行に配置可能にした請求項１記載の映像モニターの保護装置としたものであり、映像モニターの表示面の直前にフィルター部材を付加的に固定できるという作用を有する。
【００１１】
請求項３に記載の発明は、左右に係合部を有する略矩形筒状のフード部材を、前述の左右一対の前方保護部材に係合させることで固定することのできる映像モニターの保護装置としたものであり、映像モニターの表示部にフード部材を固定することを可能にする作用を有する。
【００１２】
請求項４に記載の発明は、前記上部固定部材及び前記下部固定部材は、それぞれ前記保護装置に前記映像モニターを固定したときに前記映像モニターの前面と平行になるような第２の溝部を有しており、前後に収縮可能な機能を有する筒状のフード部材を前記第２の溝部に沿ってスライド設置して前記映像モニターの前面と平行に配置可能にした請求項１記載の映像モニターの保護装置としたものであり、映像モニターの表示部にフード部材を固定することを可能にする作用を有する。
【００１３】
以下、本発明の実施の形態について、図１から図８を用いて説明する。
【００１４】
（実施の形態１）
図１は、本発明の一実施の形態による映像モニターの保護装置を示す斜視図を示す。図１において映像モニター本体１の上面には上部固定部材２が２本のビス３で固定されている。上部固定部材２には、上部固定部材２と一体に形成され、映像モニター本体１の前面の両側の稜線１ａと１ｂから斜め前方に突出する方向（即ち左右斜め前方）に伸びる左右一対の突起部２ｂが設けられている。同様に下部固定部材４が２本のビス３によって映像モニター本体１の底面に固定されている。下部固定部材４にも、上部固定部材２と同様に左右一対の突起部４ｂが設けられている。上部固定部材２の突起部２ｂの先端と下部固定部材４の突起部４ｂの先端との間には、左右一対の棒状部材５が上部固定部材２と下部固定部材４を連結するように、ビス７を介して固定されている。本実施の形態では、突起部２ｂ、突起部４ｂ、棒状部材５が前方保護部材を構成している。
【００１５】
上部固定部材２と下部固定部材４の間には、コの字形状の後方保護部材６が、映像モニター本体１の幅と略同一で映像モニター本体１の背面方向に突出するように左右一対に構成されている。後方保護部材６は、その端部が上部固定部材２と下部固定部材４を連結するように、ビス８を介して固定されている。映像モニター本体１の後部には、使用時には各種ケーブルのコネクタが後方に伸びるように接続される。このため後方保護部材６は、コネクタ類を保護するために、その突出する長さが前方保護部材よりも長めに設定される。
【００１６】
これらの前方保護部材５と後方保護部材６は、映像モニター本体１に加わる落下時の衝撃力や予期できない外力から映像モニター本体１を保護する作用を行うもので、前述の位置に構成されている。この構成によって、映像モニター本体１を覆ってしまうことなく保護機能を実現できるため、軽量な保護装置を実現できる。また、映像モニター本体１の外装部材の大部分が露出することになり、映像モニターが発する熱量を容易に大気中へ放射することができ良好な放熱性を発揮することができる。
【００１７】
なお、後方保護部材６は、映像モニター本体１に対して背面方向に突出するように構成しているが、前方保護部材５と同様に斜め後方に突出するようにしてもよい。また、後方保護部材６は、映像モニター本体１の幅よりも広く、背面方向に突出するように構成してもよい。
【００１８】
なお、本実施の形態では突起部２ｂ、突起部４ｂ、棒状部材５が前方保護部材を構成するようにしたが、後方保護部材６と同様に、コの字形状の部材によって一体に形成し、映像モニター本体１に対して斜め前方に突出するように上部固定部材２と下部固定部材４に固定してもよい。逆に、後方保護部材６を、本実施の形態の前方保護部材のように突起部と棒状部材で構成してもよい。
【００１９】
なお、突起部４ｂの先端と後方保護部材６の下面の先端のいずれかまたは両方に、凸状の突起を設けてもよい。このようにすると、保護装置を装着した映像モニターを平らな地面にまっすぐに落下させた場合に、最初に地面に接触するのが保護装置の先端に設けた凸状の突起になるため、衝撃が直接映像モニター本体１に伝わることを防止できる。
【００２０】
（実施の形態２）
図２は、本発明の一実施の形態による映像モニターの保護装置におけるフィルター部材９の固定状況を示す斜視図を示す。図２において上部固定部材２の下面には、映像モニター本体１前面の直前に溝部２ａが設けられ、同様に下部固定部材４の上面には、映像モニター本体１前面の直前に溝部４ａが設けられており、溝部２ａと４ａとの間に映像モニター本体１の前面と平行にフィルター部材９が装着できるように構成されている。図３に示すように、溝部２ａと４ａは、フィルター部材９装着時に映像モニター本体１の前面に接するか、隙間があってもごくわずかとするのが望ましい。
【００２１】
また、図４のように、弾力を有する板バネ材で構成された弾性部材１１を溝２ａと４ａそれぞれに沿って設置し、フィルター部材９のガタつきを抑えると共に、様々な厚みのフィルター部材に対応できる。本実施の形態における弾性部材としては、板バネ材の他にゴム材、スポンジ材等で構成することが可能であるが、固定力や耐久性の点で板バネ材が望ましい。
【００２２】
この構成により表示面の直前にフィルター部材を追加固定でき、映像のモニター中に画面のマーキングが可能となる。したがって、カメラで撮影している映像をモニターに出力し、撮影する映像の構図等を決定するときの利便性が向上する。
【００２３】
（実施の形態３）
図５は、本発明の一実施の形態による映像モニターの保護装置におけるフード部材の固定状況を示す斜視図を示す。図５において左右一対の前方保護部材５に対して、略矩形筒状のフード部材１０を、その左右に設けられた係合部１０ａにより固定することができる。フード部材１０により、映像モニターの表示面に差し込む太陽光などの外乱光を遮断できる。
【００２４】
（実施の形態４）
図６から図８は、本発明の一実施の形態による映像モニターの保護装置におけるフード部材の固定状況を示す。図６、図７において、前述した上下固定部材にあらかじめ設けられた溝部２ａと４ａの前位置にそれぞれ溝部２ｂと４ｂを設ける。そして、伸縮機能を有する筒状のフード部材１２を圧縮状態にて溝部２ｂと４ｂに沿ってスライドさせて映像モニター表示面の前面部まで移動設置した後、フード部材１２を前方向に伸ばすことにより、太陽光などの外乱光を遮断できるようにフード部材を簡単に設置できる。
【００２５】
なお、図では省略しているが、溝部２ｂ及び４ｂに、溝部２ａ及び４ａと同様に弾性部材を設けてもよい。
【産業上の利用可能性】
【００２６】
本発明は、屋外でのビデオカメラ等による映像撮影時に、撮影した映像を表示する映像モニターにおいて特に有用である。 
【図面の簡単な説明】
【００２７】
【図１】本発明の一実施の形態による映像モニターの保護装置を示す斜視図
【図２】本発明の一実施の形態による映像モニターの保護装置におけるフィルター部材の固定状況を示す斜視図
【図３】本発明の一実施の形態による映像モニターの保護装置におけるフィルター部材の固定状況を示す側面図
【図４】本発明の一実施の形態による映像モニターの保護装置における弾性部材の配置状況を示す斜視図
【図５】本発明の一実施の形態による映像モニターの保護装置におけるフード部材の固定状況を示す斜視図
【図６】本発明の一実施の形態による映像モニターの保護装置における伸縮機能を有するフード部材の固定状況を示す斜視図
【図７】本発明の一実施の形態による映像モニターの保護装置における伸縮機能を有するフード部材の固定状況を示す側面図
【図８】本発明の一実施の形態による映像モニターの保護装置における伸縮機能を有するフード部材の使用状態を示す斜視図
【図９】従来の映像モニターの保護装置を示す斜視図
【符号の説明】
【００２８】
１  ・・・映像モニター本体
１ａ・・・映像モニター本体の前面の両側の稜線
１ｂ・・・映像モニター本体の前面の両側の稜線
２  ・・・上部固定部材
２ａ・・・溝部
３  ・・・ビス
４  ・・・下部固定部材
４ａ・・・溝部
５  ・・・前方保護部材
６  ・・・後方保護部材
７  ・・・ビス
８  ・・・ビス
９  ・・・フィルター部材
１０・・・フード部材
１０ａ・・係合部
１１・・・弾性部材
１２・・・伸縮機能付きフード部材
【図１】
2005107151.tif 000003
【図２】
2005107151.tif 000004
【図３】
2005107151.tif 000005
【図４】
2005107151.tif 000006
【図５】
2005107151.tif 000007
【図６】
2005107151.tif 000008
【図７】
2005107151.tif 000009
【図８】
2005107151.tif 000010
【図９】
2005107151.tif 000011